(57)【特許請求の範囲】
【請求項１】
床面に固定されたベースから起立する支柱の上部に座を有し、前記支柱を前記ベースに回動自在に軸支して、前記支柱を前後方向へ傾倒自在に形成した椅子であって、前記支柱の上部に、前後方向に延出する支杆を設け、当該支杆に設けられた前後方向に伸縮するガイド部材の前端と、前記支柱に上下方向に伸縮自在に設けられ上向きに付勢する付勢部材の上端とに、座の下面の前後部を、それぞれ回動自在に軸支することで、
前記付勢部材が座の後方を押し上げるとともに、座の前部が回動しかつ前記ガイド部材が後方へと摺動して、前記座を斜めに傾斜させた不使用位置と、
座の後部が前記付勢部材の付勢力に抗して下降する動作に追従して、座の前部が回動するとともに前記ガイド部材が前方へと摺動して、前記座を略水平の状態とした使用位置と、
に変形可能としたことを特徴とする椅子。
【請求項２】
前記支杆の後部より背杆を起立させ、該背杆に背凭れを取り付けたことを特徴とする、請求項１記載の椅子。
【請求項３】
前記支杆は、支柱上部に固着した左右一対の管材からなり、該管材に左右一対のガイド部材を摺動自在に挿通し、該左右一対のガイド部材の前端同士を連結する軸に、前記座の下面の前部を軸支することを特徴とする、請求項１乃至２に記載の椅子。
【発明の詳細な説明】
【技術分野】
【０００１】
本発明は、床面に固定されるベースと、該ベースから起立する支柱と、該支柱上方の座とを有し、座の傾倒により使用状態と不使用状態とに可変する椅子に関する。
【背景技術】
【０００２】
従来、講義室等の床面に予め固定して配置された椅子や机が知られている。このような、机と椅子は、主に、多数の人が着座する学校の講義室や国際会議場などで用いられており、限られた空間で、最大限の座席数を確保することができるといった利点がある。
【０００３】
例えば、特許文献１に開示された椅子は、後方の机にリンク機構を介して、座を取り付けた構成であるが、この場合、後方の机を背凭れとして用いるため、椅子の使用時には、前後の机間に通路が確保されず、机の端に着座者がいる場合、着座者の後を通り机の中程の席に行くことができないといった問題があった。
これに対して、特許文献２および特許文献３に開示された椅子は、床面に固定されたベース上に椅子を起立させた構成であり、机に対して近接する位置まで傾倒する収納状態と、着座するために机に対して離間する着座状態とに可変するため、椅子の収納時のみならず使用時においても、着座者が腰を浮かせながら椅子を前傾させることで、椅子の後方に通路を確保することが可能である。
【０００４】
しかしながら、これらの椅子は、ベースから座にかけて起立させた主リンクや前脚といった複雑なリンク機構が張り巡らされるために、リンク機構の可動部分のメンテナンスを頻繁に行う必要があり、また、着座者の足が、可動するリンク機構に接触するなどしてリンク機構が邪魔であり、さらには、着座者の足元の空間を狭めてしまうため、不自由な着座姿勢を強いる原因ともなった。
【０００５】
【特許文献１】特開平４−３６７６２２号公報
【特許文献２】特許第２９２７７１２号公報
【特許文献３】特許第３８０３６４２号公報
【発明の概要】
【発明が解決しようとする課題】
【０００６】
本発明は、上記床面に予め固定して配置された椅子に関し、従来の複雑なリンク機構を用いることなく、簡易な構成で座を可動自在に構成し、着座者が座りやすく、また、着座後も足元の空間を大きくとることが可能な椅子を提供することを課題とする。
【課題を解決するための手段】
【０００７】
上記課題を解決すべく、本発明の請求項１に記載の発明は、床面に固定されたベースから起立する支柱の上部に座を有し、前記支柱を前記ベースに回動自在に軸支して、前記支柱を前後方向へ傾倒自在に形成した椅子であって、前記支柱の上部に、前後方向に延出する支杆を設け、当該支杆に設けられた前後方向に伸縮するガイド部材の前端と、前記支柱に上下方向に伸縮自在に設けられ上向きに付勢する付勢部材の上端とに、座の下面の前後部を、それぞれ回動自在に軸支することで、
前記付勢部材が座の後方を押し上げるとともに、座の前部が回動しかつ前記ガイド部材が後方へと摺動して、前記座を斜めに傾斜させた不使用位置と、
座の後部が前記付勢部材の付勢力に抗して下降する動作に追従して、座の前部が回動するとともに前記ガイド部材が前方へと摺動して、前記座を略水平の状態とした使用位置と、
に変形可能としたことを特徴とする椅子である。
【０００９】
また、請求項２に記載の発明は、請求項１記載の椅子において、前記支杆の後部より背杆を起立させ、該背杆に背凭れを取り付けたことを特徴とする。
【００１０】
また、請求項３に記載の発明は、請求項１乃至２に記載の椅子において、前記支杆は、支柱上端に固着した左右一対の管材からなり、該管材に前記左右一対のガイド部材を摺動自在に挿通し、該左右一対のガイド部材の前端同士を連結する軸に、前記座の下面の前部を軸支することを特徴とする。
【発明の効果】
【００１３】
本発明の請求項１に記載の発明によれば、従来の複雑なリンク機構を用いることなく、簡単な構成で、座を略水平な使用状態から、座が前方に傾倒した不使用状態に移動させることができる。
特に、ベースから座にかけて複雑なリンク機構を必要とせず、リンク機構の頻繁なメンテナンスを要さず、座の下方には支柱が起立されているだけで、座に着座した際の足元の邪魔になるようなことはないから、足元の空間が狭められることがなく、足回りを広くした自由な姿勢で着座することができる。
【００１４】
また、支柱の傾倒により、椅子の収納状態と使用状態とに容易に変形させることができる。これにより、椅子の未使用時には、支柱を前傾させることで、椅子を机に近接させ椅子の後方に大きな通路を確保することが可能であり、他方、椅子の使用時には、支柱を後傾させることにより、椅子を引き出した状態で使用することが可能である。
【００１５】
また、請求項２に記載の発明によれば、支杆の後部から背杆を起立させる簡単な構成により、支杆の後部に背凭れを取り付けることが可能である。
【００１６】
また、請求項３に記載の発明によれば、左右一対のガイド部材の前端間に、座を回動自在に取り付けるための軸を形成することが可能であり、略コ字状のガイド部に座の円滑な摺動機構および回動機構を一体的に形成することが可能である。
【００１７】
また、座の下面に、前後端にそれぞれ下向き支持片を有する座受け板を形成する簡単な構成により、座の前方および後方をそれぞれ回動自在に軸支することが可能である。
【００１８】
また、支柱内部の付勢部材を露出することなく、意匠性の高い椅子を提供することが可能である。また、支柱内部に異物が入り込むことを防ぎ、付勢部材の可動部に異物が付着することを防止することが可能である。
【図面の簡単な説明】
【００１９】
【図１】本発明の椅子を示す図である。（ａ）椅子の収納状態を示す図である。（ｂ）椅子の引き出し状態を示す図である。（ｃ）椅子の着座状態を示す図である。
【図２】椅子の分解図である。
【図３】座の不使用状態を示す説明図である。
【図４】座の動きを示す説明図である。
【図５】座の使用状態を示す説明図である。
【図６】椅子の収納状態を示す一部切断図である。
【図７】椅子の収納状態を示す断面図である。
【図８】椅子の引き出し状態を示す一部切断図である。
【図９】椅子の引き出し状態を示す断面図である。
【図１０】椅子の着座状態を示す一部切断図である。
【図１１】椅子の着座状態を示す断面図である。
【図１２】座の動きを示す断面図である。
【図１３】座の動きを示す断面図である。
【発明を実施するための形態】
【００２０】
本発明の椅子１の一例としては、図１（ａ）（ｂ）（ｃ）に示すように、床面に固定されたベース９１に対して起立する角柱状の支柱５１が、ベース９１前方の軸孔９３へと枢軸９９を介して前後傾倒自在に軸支され、支柱５１上方に、略水平方向に形成された支杆５４の後方には、略垂直方向に背杆５３が形成され、該背杆５３の上方に背凭れ２１が形成された椅子１であって、前記支柱５１上方に位置する座３１の後方部分が上下昇降自在に形成されるとともに、座３１の前方部分が前後摺動自在に形成されることで、座３１を略水平な使用状態から、座３１が前方に傾倒した不使用状態に移動させることができるとともに、支柱５１の前後傾倒により、（ａ）椅子１の収納状態１ａから、（ｂ）椅子１の引き出し状態１ｂを経て、（ｃ）座３１に着座する着座状態１ｃへと、変形することが可能な椅子１である。
特に、本発明の椅子は、前記座３１の可動機構が簡易な構成であり、従来の支柱の傾倒に追従させて座を可動させるための複雑なリンク機構を用いない利点がある。
【００２１】
以下、本発明の椅子１の構成について詳述する。
本発明の椅子１は、図２に示すように、座３１、座受け板３２、コ字状のガイド部４０、からなる座３１の可動に係る部材（図中、左方）と、支柱５１、支杆５４、背杆５３が一体に形成されたボディ５０（図中、中央）と、ベース９１、傾倒部材８１、付勢部材７０（ガススプリング７０）、カバー部材６１、からなる、傾倒および昇降部材（図中、右方）とに大別される。
【００２２】
まず、図の左方に配置された各部材とそれぞれの関係について説明する。
使用者が着座するための略平板状の座３１は、該座３１の直下に位置する座受け板３２へと、前記座３１の中央部分が当接する状態で固着される。
前記座受け板３２は、その上面に座３１を取り付けるとともに、座受け板３２の前後には、それぞれ下方へと突出する支持片３６，３７が設けられ、該支持片３６，３７には左右方向に貫通する軸孔３３、３４がそれぞれ設けられている。
【００２３】
前記座受け板３２の支持片３６に設けられた前記軸孔３３には、略コ字状の筒体からなるガイド部４０の、横方向の円筒部材（枢軸４１）が軸支され、該枢軸４１へと前記座受け板３２の前方３２ａが回動自在に取り付けられる。
また、枢軸４１の左右端から水平方向の円筒部材（ガイド部材４２）が、それぞれ保持部４３を介して取り付けられ、後述する、支杆５４の内部５５（空洞５５）へと前後摺動自在に挿通される。
【００２４】
次に、図の中央に配置された各部材とそれぞれの関係について説明する。
まず、椅子の躯体となるボディ５０は、略垂直に起立する角柱状の支柱５１と、該支柱５１の上方に一体に配設された台形状の取付部材５６と、該取付部材５６の左右から水平方向に伸びる左右１対の支杆５４と、該支杆５４の後方から緩やかに上方に伸びる背杆５３と、からなり、該背杆５３の上方に背凭れ２１が取り付けられる。
【００２５】
特に、前記支杆５４の内部には、該支杆５４の前方端から後方にかけて空洞５５が形成されており、該支杆の内部５５に、前記ガイド部４０のガイド部材４２が挿通されている。これにより、コ字状のガイド部４０が前記支杆５４へと前後摺動自在に形成されている。
【００２６】
また、前記支柱５１の内部には、支柱５１を上下方向に貫通する空洞５９が形成されており、後述する、ガススプリング７０等の付勢部材７０を挿通する構成である。
【００２７】
次に、図の右方に配置された各部材とそれぞれの関係について説明する。
図中下方に配置されたベース部材９１（ベース９１）は、平板状の固定板９６と、該固定板９６より上方に立設するカバー部９５とからなる。
前記固定板９６には、四隅に取付孔９７をそれぞれ有しており、この取付孔９７へとアンカー９４等を用いて、ベース部材９１を床面へと固定する構成である。
【００２８】
また、ベース部材９１の直上には、靴形状を有する傾倒部材８１が設けられ、該傾倒部材８１の前方に形成された横方向の軸孔８２を、ベース部材９１の前記カバー部９５前方に形成された横方向の軸孔９３へと、枢軸９９を用いて軸支する。
【００２９】
傾倒部材８１の内部には、上下方向に空洞８４を有しており、この空洞８４へとガススプリング７０を挿通し、ガススプリング下端に設けられた軸支部７４を、ベース部材９１の内部に形成された軸受け９２へと、枢軸９８を用いて軸支する。
【００３０】
前記ガススプリング７０は、上下方向に長い筒部材（筒本体７２）と、該筒本体７２の内部から外部にかけて、下方へと突出するロッド７３からなり、前記筒本体７２の内部には圧縮ガスおよびオイル等が密封されている。
そして、筒本体７２の内部を、図示しないオリフィスを有するピストン７５で二室に区切ることにより、ピストン７５から延設された前記ロッド７３が常に伸びる方向へと付勢力を生じている。
【００３１】
よって、前記ロッド７３先端の軸支部７４をベース９１の軸受け９２に軸支することにより、ガススプリング７０が前後方向に回動自在に軸支されるとともに、前記筒本体７２が常に上方へと伸びる付勢力を生じている。
【００３２】
他方、ガススプリング７０上方の筒本体７２および軸支部７１が、内部に空洞を有する角柱状のカバー部材６１に収納される。これにより、支柱内部の付勢部材７０を露出することなく、また、支柱５１内部に異物が入り込むことを防せぎ、付勢部材７０の可動部に異物等が付着することを防止することが可能である。
【００３３】
そして、この状態（ガススプリング７０がカバー部材６１で覆われた状態）で、支柱５１の内部へと挿通された後、カバー部材６１およびガススプリング７０上方の軸支部７２が、前記支柱５１の上方に突出した状態で、前記座受け板３２の後方３２ｂに形成された支持片３７の軸孔３４へと、枢軸３５を用いて一体に軸支される。
【００３４】
すなわち、ガススプリング７０と、カバー部材６１と、座受け板３２とが回動自在に軸支されており、特に、ガススプリング７０の上方への付勢力により、座受け板３２の後方部分３２ｂが、常に上方へと押し上げられる構成である。
【００３５】
また、前記カバー部材６１の下端に形成された外方へと突出するストッパ６２が、支柱５１の内部で規制されており、カバー部材６１が上方へと飛び出して脱落してしまうことを防止している。
同様に、前記ガイド部材４２の一端に形成された外方へと突出するストッパ４５が、支杆５４の内部５５に形成された図示しないストッパ５８で規制されており、ガイド部材４２が外方へと飛び出して脱落してしまうことを防止している。
【００３６】
次に、本発明の椅子における、座３１の動作について説明する。
図３に示すように、ガススプリング７０のロッド７３に設けられた軸支部７４が、図示しないベース内部の軸受け９２へと、枢軸９８を用いて軸支されており、ベース９１に対して回動自在（傾倒自在）、かつガススプリング７０上方の筒本体７２が上方へと付勢力を生じている。
他方、ガススプリング７０上方の筒本体７２に設けられた軸支部７１は、カバー部材６１に収納された状態で、座受け板３２の後方３２ｂの軸孔３４に枢軸３５で軸支されており、座受け板３２の後方３２ｂを、回動自在かつ常に上方へと押し上げている。
【００３７】
このとき、座受け板３２の前方３２ａが、ガイド部４０の枢軸４１へと回動自在に軸支されており、座受け板３２の枢軸４１を支点に座受け板３２が上方へと回動した状態、かつ座受け板３２のガイド部材４２が支杆５４の内部後方へと摺動した状態となり、結果、座３１および座受け板３２が、略起立した状態を保持している。
【００３８】
このように、左右一対の管材（支杆５４）へと、左右一対のガイド部材４２を摺動自在に取り付けることで、ガイド部材４２の前端間に座３１を回動自在に取り付けるための軸４１を形成することが可能であり、略コ字状のガイド部４０に座３の摺動機構および回動機構を一体に形成することが可能である。
【００３９】
また、座３１の下面に、前後端にそれぞれ下向き支持片３６，３７を有する座受け板３２を形成する簡単な構成により、座３１の前方および後方をそれぞれ回動自在に軸支することが可能である。
【００４０】
次に、前記座３１および座受け板３２が起立した状態から、座３１の後方を押し下げると、図４に示すように、ガススプリング７０の筒本体７２が押し下げられて縮むとともに、座受け板３２の後方３２ｂが下降することとなる。
これに伴い、座受け板３２の前方３２ａが、枢軸４１を支点に回動するとともに、座受け板３２を前方へと移動させる力が生じるため、座受け板３２のガイド部材４２が支杆５４の内部５５を前方へと摺動する。
【００４１】
さらに、着座者の着座に伴い、図５に示すように、座３１が下降して、ガススプリングの筒本体７２が収縮するとともに、ガイド部材４２の後端に形成されたストッパ４５が、支杆５４の内部５５前方に形成されたストッパ５８に当接することにより、座受け板３２の摺動が規制され、座３１および座受け板３２が略水平の状態となる。
【００４２】
このように、前記座３１の動作は、座３１の後方が下降する動作に追従して、座３１の前方が前進することで、座３１が略水平の状態へと可動変形（可変）する構成である。
他方、着座状態から起立したときは、座３１の後方が上昇する動作に追従して、座３１の前方が後進することで、座３１が略垂直の状態へと戻ることはいうまでもない。
【００４３】
次に、支柱５１の傾倒および座３１の傾倒による、椅子の収納状態１ａから、引き出し状態１ｂを経て、着座状態１ｃに至る一連の動作について説明する。
【００４４】
まず、椅子の収納状態１ａについて説明する。
ここでいう椅子の収納状態１ａとは、図６に示すように、座３１が略垂直に起立した不使用状態かつ支柱５１がベース９１に対して前傾した状態をいう。この状態（収納状態）では、椅子全体が、椅子の前方に位置する机面の下方スペースへと入り込むため、椅子の後方に、人が通れる通路が確保される構成である。
【００４５】
一般に、複数の机が前後方向に連続して配置される講義室などでは、前後の机間距離を最小にして、限られた空間内で最大の人数を収容する必要がある。しかしながら、前後方向に複数の机を配置すると、必然的に前後の机間距離が小さくなるため、椅子と後方の机との間に、人が通るスペース（通路）を確保することが困難となる。
よって、未使用の椅子を前傾させることで、未使用の椅子を机に近接させて収納し、椅子の後方に大きな通路を確保することが可能である。そして、椅子の使用者は、その都度、未使用の椅子（収納状態の椅子）を引き出して着座することが効率的である。
【００４６】
すなわち、本発明の椅子における収納状態１ａは、図６および図７に示すように、ベース９１に軸支されたガススプリング７０が上方に伸びた状態であり、ガススプリング７０が座受け板３２の後方３２ｂを持ち上げて座３１を略垂直に保持するとともに、ベース９１内部の前記傾倒部材８１が、ガススプリングのロッド７３の軸支部７４より前方において軸支９９されるため、前記ガススプリング７０の伸長作用により前記傾倒部材８１が前方へと軸回転して、結果、椅子全体が前傾姿勢を保持する構成である。
【００４７】
この場合、椅子の座３１が机面１５の下方に入り込み、椅子の背面２１が、ベース９１の後端位置より前方に位置するため、椅子の後方に大きな空間（通路）が形成される構成である。
【００４８】
また、ガススプリングの筒本体７２を覆うカバー部材６１の下端に形成されたストッパ６２が、支柱５１内部のストッパ（内方突出部分）に当接することで、カバー部材６１が支柱５１から抜けてしまうことを防止することが可能であり、さらには、ガススプリング７０の伸長を規制することが可能である。
【００４９】
次に、椅子の引き出し状態１ｂについて説明する。ここでいう椅子の引き出し状態１ｂとは、図８に示すように、座３１が略垂直に起立した不使用状態かつ支柱５１がベース９１に対して後傾した状態をいう。
着座者は、前記収納状態１ａにおける前傾した椅子の背凭れ２１を持ち、後方へと引くことで、図８および図９に示すように、ベース内部の傾倒部材８１が、枢軸９９を軸に後方へと回転（傾倒）して、支柱５１を介し椅子全体が後傾する。このとき、ガススプリング７０が僅かに縮むとともに、傾倒部材８１の下面がベース９１の下面に当接して、椅子１の後傾が規制される。
【００５０】
このとき、座３１は支柱５１に対して略垂直に起立した状態であるが、椅子の後傾に伴い支柱５１が後傾するため、座３１の起立角度が緩やかになり側面視で約４５度の角度に設定される。この状態で着座者は、座３１の前方に入り込み、臀部を座３１に当接させた状態で座り込むことにより、座３１の後方３１ｂが押し下げられるとともに、座３１の前方３１ａが前進して、図１０に示すように、座３１が略水平の使用状態となる。
【００５１】
また、椅子の引き出し状態１ｂでは、依然ガススプリング７０が上方へと付勢力を働かせており、ガススプリングのカバー部材６１のストッパ６２が、支柱５１内部で規制されることで、支柱５１の傾倒部材８１が前方の軸９９を支点に回動する力を有している。このため、引き出し状態１ｂで椅子から手を離すと、再び、椅子が前傾して収納状態１ａへと戻る構成である。
【００５２】
次に、椅子の着座状態１ｃについて説明する。
前記椅子の引き出し状態で、着座者は、椅子の前方に起立し、座へと着座することで、図１０および図１１に示すように、座が下降してガススプリング７０が最も縮み、この状態が座３１の水平状態すなわち着座状態となる。
座３１の後方３１ｂの下降に伴い、ガススプリング７０が収縮するとともに、支杆５４内部のガイド部材４２が前進して座３１が水平状態となり、これにより、着座者は、机面１５との最適な距離をもって着座することが可能である。
なお、着座者が起立して席を離れる際には、ガススプリング７０の上方への付勢力により、自動的に座３１が略垂直に持ち上がり、支柱５１が前方へと傾倒する収納状態１ａへと移行することはいうまでもない。
【００５３】
このように、本発明の椅子は、椅子の未使用時には、支柱５１が前傾して椅子が机に近接し、椅子の後方に大きな通路を確保することが可能であり、他方、椅子の使用時には、支柱５１を後傾させ、着座することことが可能である。
特に、従来の複雑なリンク機構を用いることなく、簡単な構成で、座３１を可動自在に構成し、着座者が座りやすく、また、着座後も足元の空間を大きくとることが可能である。さらには、ベース９１から座３１にかけて１本の支柱で済むため、シンプルな構成からなる意匠性の高い椅子１を提供することが可能である。
【００５４】
さらに、本発明の椅子１は、着座状態１ｃにおいて、座３１を前方に水平移動させることで、椅子１の後方に容易に通路を形成することが可能である。
例えば、着座している椅子１の後方には後の机が位置しており、着座者の後方を人が通過しようとする場合、椅子と机との間に通路を確保する必要がある。
この場合、着座者が一度起立して椅子１を収納状態１ａに戻さないと、通路を確保することが困難であるが、本発明の椅子１は、着座者が座った状態で僅かに前方へとかがむことにより、支柱５１が着座者の動きに追従して前方に傾倒するため、背凭れ２１が大きく傾倒し、椅子１の後方に大きな通路を形成することが可能である。
【００５５】
すなわち、図１２に示すように、ガススプリング７０の作用により、座３１を押し上げる付勢力とともに支柱５１を前方へと傾倒する付勢力が作用している。よって、着座者が前方にかがむことで支柱５１が前傾して、座３１の前方が前傾するとともに、座３１の後方が僅かに下降するため、結果、座３１が水平方向にスライドすることとなる。
【００５６】
これにより、背凭れ２１が大きく前傾するため、背凭れ２１と後方の机との間に大きな通路を確保することが可能である。特に、座３１の高さをほぼ変えることなく、座を水平移動させることが可能であり、自然な着座姿勢を維持した状態で、椅子全体を前方へと移動させて、後方に通路を確保することが可能である。
【００５７】
また、本発明の椅子１は、椅子を引き出した後、机と椅子との間に入り込む際に、椅子の前方に大きな空間を形成することが可能な構成であってもよく、例えば、図１３に示すように、椅子１を引き出した状態で、机と椅子との間に入り込んだ後、前方に突出している座３１の先端部分３１ａを、着座者のふくらはぎで後方へと押すことにより、座３１の先端部分３１ａをさらに後方へと押し込み、座板と机との間に空間を形成する構成であってもよい。
【００５８】
すなわち、通常の引き出し状態１ｂにおける、前記ガイド部材４２の支杆５４への挿入量に、余裕を持たせることで、ガイド部材４２がさらに後方へと摺動可能に構成して、椅子の引き出し状態における、座３１の先端部分３１ａをさらに後方へと移動させることが可能である。このとき、ガススプリング７０が上方へとさらに伸びることで、座３１の後端部分３１ｂが押し上げられるとともに前方に回動し、座３１をより垂直状態とすることが可能である。
【００５９】
これにより、着座者が机と椅子との間に起立することが可能であり、再び着座する際にも、座３１の先端部分３１ａから脚を離せば、座３１が自然に元の状態へと戻るとともに斜め上方を向くため、着座者はスムースに着座を行うことが可能である。
【００６０】
以上のように、本発明の椅子は、従来の複雑なリンク機構を用いることなく、簡単な構成で、座３１を略水平な使用状態から、座３１が前方に傾倒した不使用状態に移動させることができる。特に、ベース９１から座３１にかけて複雑なリンク機構を必要とせず、リンク機構の頻繁なメンテナンスを要さず、座３１の下方には支柱５１が起立されているだけで、座３１に着座した際の足元の邪魔になるようなことはないから、足元の空間が狭められることがなく、足回りを広くした自由な姿勢で着座することができる。
【００６１】
何れにせよ、本発明の椅子１は、前記座３１の前方３１ａを前後摺動かつ回動自在に構成し、かつ前記座３１の後方３１ｂを上下昇降かつ回動自在に構成することにより、前記座３１が略垂直状態となる収納状態１ａと、前記座３１が略水平状態となる着座状態と、に可変する構成であれば、上記実施の形態に何ら限定されるものではなく、本発明の趣旨を逸脱しない範囲において種々の変更が可能である。
【符号の説明】
【００６２】
１  椅子
２１  背凭れ
３１  座
３１ａ  座の前方
３１ｂ  座の後方
３２  座受け板
３２ａ  座受け板の前方
３２ｂ  座受け板の後方
３３  軸孔
３４  軸孔
３５  枢軸
３６  支持片
３７  支持片
４０  ガイド部
４１  枢軸
４２  ガイド部材
４３  保持部
５０  ボディ
５１  支柱
５３  背杆
５４  支杆
５５  支杆の内部（空洞）
５６  軸支部材
５８  ストッパ
５９  空洞
６１  カバー
６２  ストッパ
７０  付勢部材（ガススプリング）
７１  軸支部
７２  筒本体
７３  ロッド
７４  軸支部
８１  傾倒部材
８２  軸孔
８４  空洞
９１  ベース
９２  軸受け
９３  軸孔
９５  カバー部
９６  固定板
９７  取付孔
９８  枢軸
９９  枢軸
【図１】
0005485629.tif 000002
【図２】
0005485629.tif 000003
【図３】
0005485629.tif 000004
【図４】
0005485629.tif 000005
【図５】
0005485629.tif 000006
【図６】
0005485629.tif 000007
【図７】
0005485629.tif 000008
【図８】
0005485629.tif 000009
【図９】
0005485629.tif 000010
【図１０】
0005485629.tif 000011
【図１１】
0005485629.tif 000012
【図１２】
0005485629.tif 000013
【図１３】
0005485629.tif 000014